(57)【要約】  着脱音を無くすかもしくは極力小さくすることができるスナップボタンを提供する。スナップボタンは、金属製の雄スナップボタン（３０）と、雌スナップボタン（１０）とを備える。雄スナップボタン（３０）は基部（３１）と基部（３１）から突出する係合突起（３２）とを含む。雌スナップボタン（１０）は、係合突起（３２）を着脱自在に受け入れる係合空間（２０ａ）を規定する軟質樹脂製のリング部材（２０、１２０）と、リング部材（２０、１２０）を収容する金属製の雌スナップ本体（１１）と備える。リング部材（２０、１２０）は、雌スナップ本体（１１）の、軸方向における雄スナップボタン（３０）と対面する一方側の端（１２ａ）よりも前記一方側に突出する、周方向に沿って設けられた隆起部（２４）を備える。
2020115911.tif 000002
【特許請求の範囲】
【請求項１】
金属製の雄スナップボタン（３０）と、雌スナップボタン（１０）とを備え、
前記雄スナップボタン（３０）は基部（３１）と基部（３１）から突出する係合突起（３２）とを含み、
前記雌スナップボタン（１０）は、前記係合突起（３２）を着脱自在に受け入れる係合空間（２０ａ）を規定する軟質樹脂製のリング部材（２０、１２０）と、前記リング部材（２０、１２０）を収容する金属製の雌スナップ本体（１１）と備え、
前記リング部材（２０、１２０）は、前記雌スナップ本体（１１）の、軸方向における前記雄スナップボタン（３０）と対面する一方側の端（１２ａ）よりも前記一方側に突出する、周方向に沿って設けられた隆起部（２４）を備えるスナップボタン。
【請求項２】
前記雌スナップ本体（１１）は底部（１３）を含み、
前記リング部材（２０、１２０）は、前記係合突起（３２）が前記係合空間（２０ａ）に受け入れられた状態において前記底部（１３）と前記係合突起（３２）との間に配置されるリング底部（２３、１２３）を含む請求項１に記載のスナップボタン。
【請求項３】
前記雄スナップボタン（３０）の係合突起（３２）が前記雌スナップボタン（１０）の係合空間（２０ａ）に受け入れられた状態において、前記雄スナップボタン（３０）の基部（３１）は前記隆起部（２４）に接する請求項１又は２に記載のスナップボタン。
【請求項４】
前記底部（１３）及び前記リング底部（２３、１２３）は、ボタン止具（４０）の軸部（４１）を通す開口（１５；２６、１２６）をそれぞれ有し、前記軸部（４１）は前記底部（１３）又は前記リング底部（２３、１２３）に対して加締め付けられる請求項２に記載のスナップボタン。
【請求項５】
係合空間（２０ａ）を規定する軟質樹脂製のリング部材（２０、１２０）と、前記リング部材（２０、１２０）を収容する金属製の雌スナップ本体（１１）と備え、
前記リング部材（２０、１２０）は、前記雌スナップ本体（１１）の、軸方向における雄スナップボタン（１０）と対面する一方側の端（１２ａ）よりも前記一方側に突出する、周方向に沿って設けられた隆起部（２４）を備える雌スナップボタン。
【請求項６】
前記雌スナップ本体（１１）は底部（１３）を含み、
前記リング部材（２０）は、前記底部（１３）を覆うリング底部（２３、１２３）を含む請求項５に記載の雌スナップボタン。
【発明の詳細な説明】
【技術分野】
【０００１】
本発明はスナップボタン及び雌スナップボタンに関し、特に金属製の雄スナップボタンと金属部分を含む雌スナップボタンとからなるスナップボタンと、このようなスナップボタンにおける雌スナップボタンに関する。
【背景技術】
【０００２】
相互に係合及び脱係合可能な一対の雄スナップボタンと雌スナップボタンからなるスナップボタンは、衣類、鞄類等に多用されている。スナップボタンの係合及び脱係合は、雄スナップボタンの係合突起を雌スナップボタンの係合空間に対して着脱することにより行われる。雄スナップボタン及び雌スナップボタンの着脱時には着脱音が生じ、特に雄及び雌スナップボタンの両方が金属製の場合、着脱音は比較的大きくなる。【０００３】
しかしながら、ハンティング、バードウォッチング等に使用される衣類等において、上述したスナップボタンの着脱音がユーザーの活動を害する場合がある。
【発明の概要】
【発明が解決しようとする課題】
【０００４】
従って、本発明の目的は、着脱音を無くすかもしくは極力小さくすることができるスナップボタン及び雌スナップボタンを提供することである。
【課題を解決するための手段】
【０００５】
上記課題を解決するため、本発明の一側面によれば、金属製の雄スナップボタンと、雌スナップボタンとを備え、前記雄スナップボタンは基部と基部から突出する係合突起とを含み、前記雌スナップボタンは、前記係合突起を着脱自在に受け入れる係合空間を規定する軟質樹脂製のリング部材と、前記リング部材を収容する金属製の雌スナップ本体と備え、前記リング部材は、前記雌スナップ本体の、軸方向における前記雄スナップボタンと対面する一方側の端よりも前記一方側に突出する、周方向に沿って設けられた隆起部を備えるスナップボタンが提供される。【０００６】
本発明において、雄スナップボタンと雌スナップボタンとの係合及び脱係合は、金属製の雄スナップボタンの係合突起を軟質樹脂製のリング部材の係合空間に対して着脱することにより行われる。そのため、着脱時に金属製の係合突起は雌スナップボタンの金属部分である雌スナップ本体に接することなく軟質樹脂部分であるリング部材のみと接する。また、係合突起を係合空間に挿入する際、雄スナップボタンの基部は、金属製の雌スナップ本体において最も雄スナップボタン側（一方側）に存在する端よりもリング部材の隆起部が前記一方側に突出するため、金属製の基部は軟質樹脂製の隆起部とは接し得るが、金属製の雌スナップ本体とは接しない。そのため、係合突起の係合空間への挿入時に雄スナップボタンの金属部分である基部は雌スナップボタンの軟質樹脂部分である隆起部とは接触しても、雌スナップボタンの金属部分である雌スナップ本体とは接しない。そのため、本発明に係るスナップボタンでは着脱音が全く生じないかほとんど生じない。【０００７】
本発明において、雌スナップ本体の、軸方向における雄スナップボタンと対面する一方側の端よりも前記一方側に突出する端、すなわち、雌スナップ本体において最も雄スナップボタン側に存在する端からのリング部材の隆起部が前記一方側に突出する高さは、スナップボタンの着脱時における雄スナップボタンの雌スナップボタンに対する傾き（両軸線のずれ）等を含み、基部が前記端に接することがない高さ、例えば０．３ｍｍ以上に設定することができる。また、本発明において、隆起部がリング部材に周方向に沿って設けられる態様として、隆起部が周方向に環状に連続する態様と、複数の隆起部が周方向に所定角度ごとに飛び飛びに設けられる態様がある。【０００８】
本発明において、雄スナップボタン及び雌スナップ本体をなす金属としては、例えば、アルミニウム、アルミニウム合金、銅、銅合金、鉄、ステンレス鋼等を挙げることができるが、これらに限定されるものでない。また、本発明における雌スナップボタンのリング部材をなす軟質樹脂としては、例えば、ポリウレタン系、ポリエステル系、ポリアミド系、アクリル系、シリコーン系、ポリスチレン系、スチレンブタジエン系、ニトリルブタジエン系等のエラストマー樹脂を挙げることができるが、これらに限定されるものではない。【０００９】
本発明の一実施形態において、前記雌スナップ本体は底部を含み、前記リング部材は、前記係合突起が前記係合空間に受け入れられた状態において前記底部と前記係合突起との間に配置されるリング底部を含む。この場合、雄スナップボタンの係合突起を雌スナップボタンの係合空間に挿入する際、金属製の係合突起が雌スナップボタンの金属製の底部に接することはない。【００１０】
本発明の一実施形態において、前記雄スナップボタンの係合突起が前記雌スナップボタンの係合空間に受け入れられた状態において、前記雄スナップボタンの基部は前記隆起部に接する。この場合、雄スナップボタンの係合突起を雌スナップボタンの係合空間に挿入する際、雄スナップボタンの基部が雌スナップボタンの隆起部に接することにより、係合空間内における係合突起のそれ以上の挿入が阻止される。このように基部が雌スナップボタンの隆起部に接した状態で、係合突起は雌スナップボタンのリング部材のリング底部に接するかもしくは近接することができるが、雌スナップ本体の金属製の底部には接しない。【００１１】
本発明の一実施形態において、前記底部及び前記リング底部は、ボタン止具の軸部を通す開口をそれぞれ有し、前記軸部は前記底部又は前記リング底部に対して加締め付けられる。この場合、雌スナップボタンの衣服等の生地に対する取り付けは、ボタン止具の軸部を生地に貫通させ（生地に事前に設けた穴にボタン止具の軸部を通す場合もある。）、次いで、雌スナップ本体の底部の開口及びリング部材のリング底部の開口（リング開口）に通した後、軸部を加締めることにより行われる。この軸部の加締め付けは、図５に示すようにリング底部に対して行うことも、図９に示すように雌スナップ本体の底部に対して行うこともできる。【００１２】
本発明の別の側面によれば、係合空間を規定する軟質樹脂製のリング部材と、前記リング部材を収容する金属製の雌スナップ本体と備え、前記リング部材は、前記雌スナップ本体の、軸方向における雄スナップボタンと対面する一方側の端よりも前記一方側に突出する、周方向に沿って設けられた隆起部を備える雌スナップボタンが提供される。本発明の別の側面に係る雌スナップボタンは上述した本発明の一側面に係るスナップボタンにおける雌スナップボタンに実質的に相当する。【００１３】
本発明の一実施形態において、前記雌スナップ本体は底部を含み、前記リング部材は、前記底部を覆うリング底部を含む。この場合、リング底部が雌スナップ本体の底部を覆うため、雄スナップボタンの係合突起を雌スナップボタンの係合空間に受け入れる際、金属製の係合突起は軟質樹脂製のリング底部に接し得るが、金属製の底部に接することはない。
【発明の効果】
【００１４】
本発明では、雌スナップボタンのリング部材の係合空間に対して雄スナップボタンの係合突起を着脱する時、金属製の係合突起は雌スナップボタンの金属部分である雌スナップ本体に接することなく軟質樹脂部分であるリング部材のみと接する。また、係合空間に係合突起を受け入れる際、金属製の雌スナップ本体において最も雄スナップボタン側に存在する端よりもリング部材の隆起部が前記一方側に突出するため、雄スナップボタンの金属製の基部は軟質樹脂製の隆起部とは接し得るが、金属製の雌スナップ本体とは接しない。そのため、着脱音を無くすかもしくは極力小さくすることができる。
【図面の簡単な説明】
【００１５】
【図１】図１は、本発明の第１実施形態に係る雌スナップボタンの斜視図である。
【図２】図２は、図１の雌スナップボタンの平面図である。
【図３】図３は、図１の雌スナップボタンの側面図である。
【図４】図４は、図２のＡ−Ａ線断面図である。
【図５】図５は雌スナップボタンをボタン止具により生地（図示を省略）に取り付けた状態を示す断面図である。
【図６】図６は雄スナップボタンの斜視図である。
【図７】図７は雄スナップボタンの断面図である。
【図８】図８は、雌スナップボタンと雄スナップボタンの係合状態を示す断面図である。
【図９】図９は、リング部材の変形例を示す図５と同様の断面図である。
【発明を実施するための形態】
【００１６】
以下、本発明の好ましい実施形態を説明するが、本発明はそのような実施形態に限定されるものではなく、特許請求の範囲及び均等の範囲内で適宜変更等することができる。
【００１７】
図１〜図３は、本発明の一実施形態に係る（スナップボタンにおける）雌スナップボタン１０の斜視図、平面図、及び側面図である。図４は図２のＡ−Ａ線断面図である。雌スナップボタン１０は、金属製でほぼカップ状の雌スナップ本体１１と、雌スナップ本体１１に収容される軟質樹脂製のリング部材２０との２部材からなる。リング部材２０は柔軟に弾性変形可能である。
【００１８】
以下、雌スナップ本体１１及びリング部材２０の一例を図面に基づいて説明するが、この説明において、上下方向は図４等の紙面に基づくものとする。リング部材２０は、後述する雄スナップボタン３０の係合突起３２を着脱自在に受け入れる係合空間２０ａを規定する円筒部２１と、円筒部２１の上端から半径方向外側に拡張する環状の拡張上部２２と、円筒部２１の下端から半径方向内側に延びるリング底部２３と、拡張上部２２の上面２２ａから上方に隆起する環状の隆起部２４とを備える。本実施形態において、隆起部２４は周方向に連続するが、複数の隆起部が周方向において所定角度ごとに飛び飛びに存在する態様であってもよい。拡張上部２２の下面２２ｃと円筒部２１の外周面との間には上方にわずか窪む環状のスリット２５が存在する。また、リング底部２３の中央には、ボタン止具４０（図５参照）の軸部４１を通すためのリング開口２６が設けられる。
【００１９】
円筒部２１は、その内径が最も小さくなる雌側係合端２１ａを上端２１ｂ付近に有する。円筒部２１の内径は雌側係合端２１ａから円筒部２１の下端へとわずかに漸次拡大し、円筒部２１の雌側係合端２１ａから下方の内周面は下端へと半径方向外側にわずかに傾斜する。円筒部２１の雌側係合端２１ａから上方の内周面は、隆起部２４との境界である円筒部２１の上端２１ｂへと半径方向外側にほぼ段状に湾曲する。円筒部２１のスリット２５から下方の外径は下方へとわずかに漸次縮小する。そのため、円筒部２１のスリット２５より下方部分の半径方向の厚さは下方へと薄くなる。なお、図示はしないがリング部材２０にはスリット２５がなくてもよい。
【００２０】
拡張上部２２は、上面２２ａと周側面２２ｂと下面２２ｃとを有し、隆起部２４から半径方向外側にほぼ矩形断面にて突出する。拡張上部２２の上下面２２ａ、２２ｃ間の厚さは、リング底部２３の上下方向厚さ及び円筒部２１の半径方向厚さよりも厚い。隆起部２４の内周面２４ａは下端（円筒部２１の上端２１ｂ）から上端へと半径方向外側にほぼ段状に湾曲し、隆起部２４の実質的に水平な頂面２４ｂへと至る。隆起部２４の外径は下端から上端付近までほぼ一定であり、隆起部２４の外周面２４ｃは拡張上部２２の上面２２ａに対して垂直である。また、隆起部２４の外周面２４ｃと頂面２４ｂはほぼ垂直であるが、その角には丸みが付けられている。隆起部２４の拡張上部２２の上面２２ａからの突出高さは、拡張上部２２の上下方向厚さとほぼ等しいかこれよりもわずかに小さい。隆起部２４の拡張上部２２の上面２２ａは円筒部２１の上端２１ｂと上下方向においてほぼ同じ位置にある。
【００２１】
雌スナップ本体１１は金属製の板材を絞り加工等して形成され、リング部材２０を半径方向外側及び下方から覆うように収容する。雌スナップ本体１１は、リング部材２０の拡張上部２２を保持する保持部１２と、リング部材２０のリング底部２３を下方から支持する底部１３と、保持部１２と底部１３とを連結する環状の連結部１４とを備える。保持部１２は、保持部上部１２ａと、保持部周側部１２ｂと、保持部下部１２ｃとを有する。保持部上部１２ａは、雌スナップ本体１１の最も上方（雄スナップボタン３０に対面する一方側）に位置する端である。リング部材２０の拡張上部２２の半径方向外側部分は、保持部上部１２ａと保持部下部１２ｃとの間に受け入れられて保持される。この状態で、拡張上部２２の周側面２２ｂと保持部周側部１２ｂとの間にはわずかな間隙が存在する。また、拡張上部２２のスリット２５付近を除く下面２２ｃは、保持部下部１２ｃに接した状態で支持される。保持部上部１２ａは拡張上部２２の上面２２ａにおける隆起部２４付近で終端し、保持部上部１２ａの半径方向内側端は、隆起部２４の外周面２４ｃからわずかに離れている。なお、図示はしないが、保持部上部１２ａの半径方向内側端は隆起部２４の外周面２４ｃに接する場合もあり、また、図示よりも更に近接したり離れる場合もある。リング部材２０の隆起部２４は、雌スナップ本体１１において最も上方に位置する保持部１２の保持部上部１２ａよりも上方に突出する。この突出高さは０．３ｍｍ以上とすることが好ましい。
【００２２】
連結部１４は、その内外径が下方へと縮小するように傾斜し、リング部材２０の円筒部２１をわずかな間隙をあけて覆う。この間隙は、雄スナップボタン３０の係合突起３２が円筒部２１に受け入れられた状態（図８参照）において、円筒部２１の外周面が半径方向外側に拡張して連結部１４に接することにより無くなり得る。底部１３の中央には、ボタン止具４０（図５参照）の軸部４１を通すための開口１５がリング開口２６と同心状に重なるように設けられる。本実施形態において、リング開口２６の大きさは雌スナップ本体１１の開口１５とほぼ同じであるか、わずかに小さい。そのため、リング底部２３は底部１３の上面全域を実質的に覆っている。
【００２３】
図５は、雌スナップボタン１０をボタン止具４０によって衣服等の生地に取り付けた状態を示す断面図であるが、生地は図示を省略している。雌スナップボタン１０を生地に取り付ける場合、ボタン止具４０の軸部４１を生地に上方へと貫通させ、次いで雌スナップボタン１０の開口１５及びリング開口２６に通して円筒部２１内に受け入れ、ここで軸部４１を加締める。これにより、雌スナップボタン１０はボタン止具４０により生地に固定される。本実施形態では、リング底部２３が底部１３の上面を実質的に覆っているため、軸部４１はリング底部２３に加締め付けられる。換言すれば、リング底部２３が加締められた軸部４１を受ける。
【００２４】
図６及び図７は、本発明の一実施形態に係るスナップボタンにおける雄スナップボタン３０の斜視図及び断面図である。雄スナップボタン３０は金属製の板材を絞り加工等して形成され、円板状の基部３１と、基部３１から突出する係合突起３２とを備える。基部３１の中央には、ボタン止具４０の軸部４１を通すための開口３３が設けられる。すなわち、雄スナップボタン３０もボタン止具４０によって生地に取り付けられる。係合突起３２は内筒部３２ａと、外筒部３２ｂと、内外筒部３２ａ、３２ｂの上端間を凸湾曲状に連結する連結部３２ｃとを含む。外筒部３２ｂの上端付近には係合突起３２において最も外径が大きい雄側係合端３２ｄが設けられる。
【００２５】
雄側係合端３２ｄの外径は、雌スナップボタン１０の雌側係合端２１ａよりもわずかに大きい。また、基部３１から係合突起３２の頂点までの高さは、リング部材２０のリング底部２３の上面から隆起部２４の頂面２４ｂまでの高さと等しいか、この高さよりもわずかに低いか又は高い。雄スナップボタン３０の基部３１の直径は、雌スナップボタン１０の雌スナップ本体１１の最大外径である保持部周側部１２ｂの外径よりもわずかに小さく、リング部材２０の拡張上部２２の外径とほぼ等しい。
【００２６】
図８は雌スナップボタン１０と雄スナップボタン３０との係合状態を示す断面図である。雌スナップボタン１０と雄スナップボタン３０は、雄スナップボタン３０の係合突起３２を雌スナップボタン１０のリング部材２０の円筒部２１すなわち係合空間２０ａに挿入することにより係合し、円筒部２１から係合突起３２を引き抜くことにより係合が解除する。係合突起３２を係合空間２０ａに対して着脱する時、係合突起３２の雄側係合端３２ｄによって円筒部２１の雌側係合端２１ａが一時的に半径方向外側に広げられ、雄側係合端３２ｄが雌側係合端２１ａを軸方向において越えると、雌側係合端２１ａが半径方向内側に戻る。係合突起３２を受け入れた円筒部２１はわずかに半径方向外側に拡張し、雌スナップ本体１１の連結部１４に接するか、もしくは連結部１４との間の間隙が小さくなる。スリット２５は、係合突起３２を受け入れた円筒部２１の半径方向外側への拡張を助長する役割を果たす。なお、スリット２５が無くても、軟質樹脂製のリング部材２０は半径方向への弾性変形可能である。
【００２７】
図８の係合状態において、雄スナップボタン３０の基部３１は、雌スナップボタン１０のリング部材２０の隆起部２４の頂面２４ｂに接するが、雌スナップ本体１１において最も上方に位置する保持部上部１２ａからほぼ隆起部２４の高さ分離れている。係合状態においてはまた、係合突起３２の頂部である連結部３２ｃはリング部材２０のリング底部２３の上面にかろうじて接するかもしくは近接する。更に、円筒部２１に収容された係合突起３２の外筒部３２ｂは円筒部２１の内周面とほぼ密着する。更にまた、係合状態において、係合突起３２と雌スナップ本体１１の底部１３との間に軟質樹脂部分であるリング底部２３が配置される。以上のように金属製の雄スナップボタン３０は係合状態において雌スナップボタン１０の軟質樹脂製のリング部材２０とのみ接し、雌スナップボタン１０における金属製の雌スナップ本体１１とは接しない。
【００２８】
また、雄スナップボタン３０の係合突起３２をリング部材２０の円筒部２１すなわち係合空間２０ａに挿入する際、リング部材２０の隆起部２４が雌スナップ本体１１において最も上方に位置する保持部上部１２ａよりも上方に突出しているため、雄スナップボタン３０の基部３１は軟質樹脂部分である隆起部２４には接するが、金属部分である雌スナップ本体１１には接しない。また、係合突起３２の係合空間２０ａへの挿入時において、基部３１は隆起部２４に接してそれ以上の挿入が阻止される。この時、金属部分である係合突起３２の連結部３２ｃは軟質樹脂部分であるリング底部２３には接し得るが、金属部分である雌スナップ本体１１の底部１３に接することはない。また、係合突起３２を係合空間２０ａから引き抜く際も雄スナップボタン３０が雌スナップ本体１１と接することはない。なお、隆起部２４の高さは、係合突起３２の係合空間２０ａに対する着脱時において、たとえ雄スナップボタン３０が雌スナップ本体１１に対して傾いても（雄スナップボタン３０の軸線が雌スナップ本体１１の軸線とずれても）、雄スナップボタン３０の基部３１が雌スナップ本体１１に接することがないように設定される。更に、仮にリング部材２０がリング底部２３を有していない場合、雄スナップボタン３０の係合突起３２を係合空間２０ａに対して着脱する時、すなわち係合突起３２がリング部材２０の雌側係合端２１ａを弾く時、リング部材２０の挙動（もしくは変位）がリング底部２３がある場合に比べて大きくなり、これがわずかな着脱音の発生に繋がり得る。本実施形態では、リング部材２０がリング底部２３を有することで、着脱時のリング部材２０の挙動を抑えることができ、これによっても着脱音を低減することができる。リング底部２３は図５に示すようにボタン止具４０の軸部４１によって雌スナップ本体１１の底部１３に対して固定される。そのため、上述した着脱時のリング部材２０の挙動は一層抑えられ、着脱時の静音性を高めることができる。以上から、本実施形態に係るスナップボタンでは、金属製の雄スナップボタン３０と金属製の雌スナップ本体１１とが接して着脱音が発生するようなことがないか、ほとんどない。
【００２９】
図９は、リング部材の変形例を示す、図５と同様の断面図である。図９に示すリング部材１２０はリング底部１２３を含む。リング底部１２３は円筒部２１から半径方向内側に延びる長さが既述したリング底部２３に比べて短く、その分、リング底部１２３の中央のリング開口１２６の直径も既述したリング開口２６よりも大きくなる。リング開口１２６が大きいため、リング開口１２６から雌スナップ本体の底部１３が部分的に係合空間２０ａ側に露出し、本例では、この底部１３の露出部分に対してボタン止具４０の軸部４１が加締め付けられる。リング底部１２３は、底部１３において加締められた軸部４１に対応する部分を除く底部１３の上面全域を覆っている。また、リング底部１２３は、雄スナップボタン３０と雌スナップボタン１０の係合状態において、係合突起３２と雌スナップ本体１１の底部１３との間に配置される。そのため、係合突起３２が底部１３に接することはない。
【符号の説明】
【００３０】
１０  雌スナップボタン
１１  雌スナップ本体
１２  保持部
１２ａ  保持部上部（一方側の端）
１３  底部
１５  開口
２０、１２０  リング部材
２０ａ  係合空間
２１  円筒部
２２  拡張上部
２３、１２３  リング底部
２６、１２６  リング開口
３０  雄スナップボタン
３１  基部
３２  係合突起
４０  ボタン止具
４１  軸部
【図１】
2020115911.tif 000003
【図２】
2020115911.tif 000004
【図３】
2020115911.tif 000005
【図４】
2020115911.tif 000006
【図５】
2020115911.tif 000007
【図６】
2020115911.tif 000008
【図７】
2020115911.tif 000009
【図８】
2020115911.tif 000010
【図９】
2020115911.tif 000011
【国際調査報告】
2020115911.tif 000012
2020115911.tif 000013
2020115911.tif 000014
2020115911.tif 000015
2020115911.tif 000016